(57)【要約】【課題】補強板が設けられ、設置物を設置可能な瓦屋根において、降雨等により瓦と屋根下地との間に水が浸入した場合でも、補強板の周囲における水の滞留を抑制又は防止することができる瓦屋根の構造を得る。【解決手段】補強板４４の屋根勾配方向の上側には、排水部材４８が設けられ、当該排水部材４８には、上面部５０（排水部）が設けられている。一方、補強板４４の屋根勾配方向の下側には、補助部材５２が設けられ、当該補助部材５２には、上面部５４（排水部）が設けられている。ここで、上面部５０及び上面部５４は、共に屋根勾配方向の上側に凸となる傾斜形状とされており、補強板４４に向かって流れてきた水が、その流路を上面部５０及び上面部５４に沿う方向へ変更されて流れていく。これにより、補強板４４の周りに流れてきた水を滞留させることなく排水することができる。【選択図】図６
2014152575.tif 000002
【特許請求の範囲】
【請求項１】
所定の屋根勾配で設置された屋根下地と、
前記屋根勾配方向と直交する方向に前記屋根下地面に沿って架け渡されていると共に、前記屋根勾配方向に所定の間隔で設けられた複数の瓦桟木と、
前記瓦桟木に係止されて敷設された複数枚の瓦と、
前記屋根下地の上面でかつ隣り合う瓦桟木の間に配置され、設置物が固定される複数の補強板と、
前記複数の補強板における前記屋根勾配方向の上側及び前記屋根勾配方向の下側のうち少なくとも一方に設けられると共に、屋根面側から見て前記屋根勾配方向の上側に凸となる形状に形成されて、前記屋根下地を流れてきた水を排水する排水部と、
を有する瓦屋根の構造。
【請求項２】
前記補強板における前記屋根勾配方向の上側には前記排水部が設けられた排水部材を有する、
請求項１記載の瓦屋根の構造。
【請求項３】
前記補強板は締結部材によって前記屋根下地に取り付けられると共に、当該締結部材の取付位置における前記屋根勾配方向の上側が前記排水部材によって覆われている、
請求項２記載の瓦屋根の構造。
【請求項４】
前記補強板における前記屋根勾配方向の下側には前記排水部が設けられた補助部材を有する、
請求項２又は請求項３記載の瓦屋根の構造。
【請求項５】
前記補強板における前記屋根勾配方向の下側に配置された前記複数の瓦桟木には切欠部が設けられており、当該切欠部が前記排水部として用いられている、
請求項２〜請求項４のいずれか１項に記載の瓦屋根の構造。
【請求項６】
前記排水部材は前記補強板に面接触されている、
請求項２〜請求項５のいずれか１項に記載の瓦屋根の構造。
【請求項７】
前記排水部は複数の傾斜部によって構成されている、
請求項２〜請求項６のいずれか１項に記載の瓦屋根の構造。
【請求項８】
前記排水部材は平面視で多角形に形成されている、
請求項２〜請求項７のいずれか１項に記載の瓦屋根の構造。
【請求項９】
前記排水部材は前記補強板の側面部に沿って延設された延設部を備えている、
請求項２〜請求項８のいずれか１項に記載の瓦屋根の構造。
【請求項１０】
前記排水部材は前記補強板の板厚方向上側を覆うカバー部材を備えている、
請求項２〜９請求項のいずれか１項に記載の瓦屋根の構造。
【請求項１１】
前記排水部材における前記屋根勾配方向と直交する方向の幅寸法が前記補強板における前記屋根勾配方向と直交する方向の幅寸法よりも長く設定されている、
請求項２〜１０請求項のいずれか１項に記載の瓦屋根の構造。
【請求項１２】
前記設置物は太陽光パネルである、
請求項１〜請求項１１のいずれか１項に記載の瓦屋根の構造。
【発明の詳細な説明】
【技術分野】
【０００１】
本発明は、瓦屋根の構造に関する。
【背景技術】
【０００２】
従来、瓦桟木と野地板との間に、瓦桟木の幅を越えかつ屋根勾配方向に沿った空間部を設け、降雨等により瓦と野地板との間に水が浸入した場合でも、空間部から排水できる瓦屋根の通気構造が知られている（例えば、特許文献１参照）。
【先行技術文献】
【特許文献】
【０００３】
【特許文献１】特開２００４−１９０２１６号公報（図２〜図５）
【発明の概要】
【発明が解決しようとする課題】
【０００４】
しかしながら、上記特許文献１に開示された瓦屋根の通気構造では、排水方向が屋根勾配方向に沿った方向のみであるため、瓦桟木同士の間に設置物があると、当該設置物の周囲に流れてくる水を排水することができない場合がある。例えば、屋根に太陽光パネルが設置された建物では、瓦桟木同士の間に太陽光パネルの支持に用いられる補強板が取り付けられるが、降雨等により瓦と屋根下地との間に水が浸入すると、補強板の周囲に水が滞留するおそれがあった。
【０００５】
本発明は上記事実を考慮し、降雨等により瓦と屋根下地との間に水が浸入した場合でも、補強板の周囲における水の滞留を抑制又は防止することができる瓦屋根の構造を得ることが目的である。
【課題を解決するための手段】
【０００６】
請求項１に記載の発明に係る瓦屋根の構造は、所定の屋根勾配で設置された屋根下地と、前記屋根勾配方向と直交する方向に前記屋根下地面に沿って架け渡されていると共に、前記屋根勾配方向に所定の間隔で設けられた複数の瓦桟木と、前記瓦桟木に係止されて敷設された複数枚の瓦と、前記屋根下地の上面でかつ隣り合う瓦桟木の間に配置され、設置物が固定される複数の補強板と、前記複数の補強板における前記屋根勾配方向の上側及び前記屋根勾配方向の下側のうち少なくとも一方に設けられると共に、屋根面側から見て前記屋根勾配方向の上側に凸となる形状に形成されて、前記屋根下地を流れてきた水を排水する排水部と、を有している。
【０００７】
請求項２に記載の発明に係る瓦屋根の構造は、請求項１に記載の発明において、前記補強板における前記屋根勾配方向の上側には前記排水部が設けられた排水部材を有している。
【０００８】
請求項３に記載の発明に係る瓦屋根の構造は、請求項２に記載の発明において、前記補強板は締結部材によって前記屋根下地に取り付けられると共に、当該締結部材の取付位置における前記屋根勾配方向の上側が前記排水部材によって覆われている。
【０００９】
請求項４に記載の発明に係る瓦屋根の構造は、請求項２又は請求項３記載の発明において、前記補強板における前記屋根勾配方向の下側には前記排水部が設けられた補助部材を有している。
【００１０】
請求項５に記載の発明に係る瓦屋根の構造は、請求項２〜請求項４のいずれか１項に記載の発明において、前記補強板における前記屋根勾配方向の下側に配置された前記複数の瓦桟木には切欠部が設けられており、当該切欠部が前記排水部として用いられている。
【００１１】
請求項６に記載の発明に係る瓦屋根の構造は、請求項２〜請求項５のいずれか１項に記載の発明において、前記排水部材は前記補強板に面接触されている。
【００１２】
請求項７に記載の発明に係る瓦屋根の構造は、請求項２〜請求項６のいずれか１項に記載の発明において、前記排水部は複数の傾斜部によって構成されている。
【００１３】
請求項８に記載の発明に係る瓦屋根の構造は、請求項２〜請求項７のいずれか１項に記載の発明において、前記排水部材は平面視で多角形に形成されている。
【００１４】
請求項９に記載の発明に係る瓦屋根の構造は、請求項２〜請求項８のいずれか１項に記載の発明において、前記排水部材は前記補強板の側面部に沿って延設された延設部を備えている。
【００１５】
請求項１０に記載の発明に係る瓦屋根の構造は、請求項２〜請求項９のいずれか１項に記載の発明において、前記排水部材は前記補強板の板厚方向上側を覆うカバー部材を備えている。
【００１６】
請求項１１に記載の発明に係る瓦屋根の構造は、請求項２〜請求項１０のいずれか１項に記載の発明において、前記排水部材における前記屋根勾配方向と直交する方向の幅寸法が前記補強板における前記屋根勾配方向と直交する方向の幅寸法よりも長く設定されている。
【００１７】
請求項１２に記載の発明に係る瓦屋根の構造は、請求項２〜請求項１１のいずれか１項に記載の発明において、前記設置物は太陽光パネルである。
【００１８】
請求項１に記載の本発明によれば、所定の屋根勾配で設置された屋根下地には、複数の瓦桟木が屋根勾配方向と直交する方向に屋根下地面に沿って架け渡されていると共に、屋根勾配方向に所定の間隔で設けられており、当該瓦桟木には複数枚の瓦が係止されて屋根下地に敷設されている。また、屋根下地の上面でかつ隣り合う瓦桟木の間には、複数の補強板が設けられている。このため、屋根下地には補強板を介して設置物を固定することができる。
【００１９】
ここで、本発明では、降雨等により瓦と屋根下地との間に浸入した水が、瓦桟木を越えて補強板に流れることで、補強板の周りに水が滞留するすることがある。さらに、屋根勾配方向と直交する方向への雨水の吹付等により、隣り合う瓦の間にできた隙間から水が浸入し、補強板の周りに水が滞留するすることがある。
【００２０】
しかし、本発明では、排水部が補強板における屋根勾配方向の上側及び屋根勾配方向下の側のうち少なくとも一方に設けられており、その形状は、屋根面側から見て屋根勾配方向の上側に凸となる形状とされている。このため、屋根下地を補強板に向かって流れてきた水は、その流路を排水部に沿う方向へ変更されて流れていく。これにより、本発明では、降雨等により瓦と屋根下地との間に水が浸入した場合でも補強板に向かって流れ込んできた水を排水することができる。
【００２１】
請求項２に記載の本発明によれば、補強板における屋根勾配方向の上側には排水部が設けられた排水部材を有している。これにより、補強板と排水部とを別体の部品として取り付けることができる。
【００２２】
請求項３に記載の本発明によれば、補強板を取り付ける締結部材の取付位置における前記屋根勾配方向の上側が前記排水部材によって覆われている。これにより、締結部材の取付位置に水が浸入することを抑制又は防止することができる。
【００２３】
請求項４に記載の本発明によれば、補強板における屋根勾配方向の下側には排水部が設けられた補助部材を有している。これにより、補強板における屋根勾配方向の下側に流れ込んできた水を排水することができる。
【００２４】
請求項５に記載の本発明によれば、補強板における屋根勾配方向の下側に配置された複数の瓦桟木には切欠部が設けられており、当該切欠部が排水部として用いられている。これにより、別部品を設けることなく、補強板における屋根勾配方向の下側に流れ込んできた水を排水することができる。
【００２５】
請求項６に記載の本発明によれば、排水部材は補強板に面接触されている。これにより、排水部材と補強板との間の隙間を無くすことができる。
【００２６】
請求項７に記載の本発明によれば、排水部は複数の傾斜部によって構成されている。これにより、流れ込んできた水の排水方向を調整することができる。
【００２７】
請求項８に記載の本発明によれば、排水部材は平面視で多角形に形成されている。これにより、排水部材の形状を、補強板の形状及び当該補強板と瓦桟木との位置関係に対応させることができる。
【００２８】
請求項９に記載の本発明によれば、排水部材は補強板の側面部に沿って延設された延設部を備えている。これにより、補強板の側面部に水が直接流れ込んでくることを抑制又は防止することができる。
【００２９】
請求項１０に記載の本発明によれば、排水部材は補強板の板厚方向上側を覆うカバー部材を備えている。これにより、補強板に補強板の板厚方向上側から水が吹き付けることを抑制又は防止することができる。
【００３０】
請求項１１に記載の本発明によれば、排水部材における屋根勾配方向と直交する方向の幅寸法が補強板における屋根勾配方向と直交する方向の幅寸法よりも長く設定されている。これにより、補強板における屋根勾配方向の上側から流れ込んでくる水が、補強板における屋根勾配方向の下側に回り込むことを抑制又は防止することができる。
【００３１】
請求項１２に記載の本発明によれば、補強板には太陽光パネルが固定されている。これにより、補強板を介し屋根下地に太陽光パネルを設置することができる。
【発明の効果】
【００３２】
以上説明したように、請求項１に記載の本発明に係る瓦屋根の構造では、降雨等により瓦と屋根下地との間に水が浸入した場合でも、補強板の周囲における水の滞留を抑制又は防止することができるという優れた効果を有する。
【００３３】
請求項２に記載の本発明に係る瓦屋根の構造では、排水部が補強板と別体の部品に設けられているので、排水部を部品の後付けによって設けることができるという優れた効果を有する。
【００３４】
請求項３に記載の本発明に係る瓦屋根の構造では、締結部材の水による腐食を抑制又は防止することができるという優れた効果を有する。
【００３５】
請求項４に記載の本発明に係る瓦屋根の構造では、補強板における屋根勾配方向の下側に流れ込んできた水の滞留を抑制又は防止することができるという優れた効果を有する。
【００３６】
請求項５に記載の本発明に係る瓦屋根の構造では、別部品を設けることなく、補強板における屋根勾配方向の下側に流れ込んできた水の滞留を抑制又は防止することができるという優れた効果を有する。
【００３７】
請求項６に記載の本発明に係る瓦屋根の構造では、補強板における屋根勾配方向の上側に水が流れ込まないようにすることができるという優れた効果を有する。
【００３８】
請求項７に記載の本発明に係る瓦屋根の構造では、流れ込んできた水の流れを分流し、効率よく補強板の周囲における水の滞留を抑制又は防止することができるという優れた効果を有する。
【００３９】
請求項８に記載の本発明に係る瓦屋根の構造では、補強板と瓦桟木との位置関係によらず補強板の周囲における水の滞留を抑制又は防止することができるという優れた効果を有する。
【００４０】
請求項９に記載の本発明に係る瓦屋根の構造では、補強板の側面部に流れ込んでくる水の滞留を抑制又は防止することができるという優れた効果を有する。
【００４１】
請求項１０に記載の本発明に係る瓦屋根の構造では、補強板の板厚方向上側の面が水に濡れることを抑制又は防止することができるという優れた効果を有する。
【００４２】
請求項１１に記載の本発明に係る瓦屋根の構造では、補強板における屋根勾配方向の上側から流れ込んできた水が、補強板における屋根勾配方向の下側に回り込んで滞留することを抑制又は防止することができるという優れた効果を有する。
【００４３】
請求項１２に記載の本発明に係る瓦屋根の構造では、太陽光パネルを屋根下地に設置することができるので、屋根上面のスペースを有効に活用できるという優れた効果を有する。
【図面の簡単な説明】
【００４４】
【図１】本実施形態に係る瓦屋根の構造が適用された建物を示す全体斜視図である。
【図２】本実施形態に係る瓦屋根の構造を示す断面図（図１の２−２線に沿って切断した状態を示す断面図）である。
【図３】本実施形態に係る瓦屋根の構造を示す拡大断面図（図２の要部を示す拡大断面図）である。
【図４】本実施形態に係る建物の屋根に補強板を取り付けた状態を示す斜視図である。
【図５】本実施形態に係る補強板の取付状態を示す拡大正面図である。
【図６】第１実施形態に係る瓦屋根の構造の要部を示す構成図である。
【図７】第２実施形態に係る瓦屋根の構造の要部を示す構成図である。
【図８】第２実施形態に係る瓦桟木の構造を示す拡大断面図（図７の８−８線に沿って切断した状態を示す拡大断面図）である。
【発明を実施するための形態】
【００４５】
＜第１実施形態＞
以下、図１〜図６を用いて、本発明に係る瓦屋根の構造の第１実施形態について説明する。
【００４６】
図１には、本実施形態に係る建物の一例として、太陽光パネル１４が設置された建物１０の全体斜視図が示されている。図１に示されるように、本実施形態に係る建物１０は、一例として切妻屋根構造とされており、屋根１２が所定の屋根勾配で設置されている。なお、以下の説明においては、適宜、建物１０の桁方向をＸ方向、屋根１２の勾配方向をＹ方向、屋根面に対して直交する方向をＺ方向と称す。
【００４７】
まず、屋根構造について概説する。図１〜図３に示されるように、屋根１２は、屋根勾配に沿って配置された屋根下地１６を備えている。この屋根下地１６の上面にはシート状のルーフィング１７が敷設されており、これにより防水処理がなされている。ルーフィング１７の上面側には、Ｙ方向に沿って所定の間隔で配置された瓦桟木１８が取り付けられている。各瓦桟木１８の断面形状は矩形状とされており、この瓦桟木１８に断面形状がコ字状とされた瓦２０の上端部の係止部２２が係止されている。これにより、屋根下地１６上には多数枚の瓦２０が敷き詰められている。
【００４８】
上述した瓦２０のうち、後述する太陽光パネル１４が設置されている範囲には、瓦２０よりも強度的に優れた材質で製作された支持瓦３０が配設されている。図３に示されるように、支持瓦３０における支持瓦本体部３２の中央部には、Ｚ方向から見て矩形枠状に形成された支持瓦筒部３４が一体に形成されている。支持瓦筒部３４の内部は開口されており、下方が解放された箱型の支持瓦蓋部３６によって塞がれている。
【００４９】
また、上述した各支持瓦蓋部３６の上面には、Ｙ方向から見たときの断面形状がハット型とされた横桟取付金具２６が配置されている。横桟取付金具２６の底部には、取付孔２８が形成されており、これに対応して支持瓦蓋部３６にも取付孔２８と同軸上に取付孔３８が形成されている。そして、取付孔３８、取付孔２８の順に長ビス４２が挿入され、後述する補強板４４及び屋根下地１６に螺子止めされている。これにより、支持瓦蓋部３６が支持瓦筒部３４に被嵌された状態で、横桟取付金具２６が補強板４４及び屋根下地１６に固定されている。これらの横桟取付金具２６上には、横桟２４が上下三段に配置されて固定されている。各横桟２４はコ字状の断面形状とされており、Ｙ方向に対向するように配置されている。そして、上下一対の横桟２４に矩形平板状の太陽光パネル１４が挿入された状態で保持されている。
【００５０】
図４には、屋根に補強板を取り付けた状態の斜視図が示されており、又図５には、補強板の取付状態の拡大正面図が示されている。図３〜図５に示されるように、隣り合う瓦桟木１８の間かつ支持瓦３０のＺ方向下側には、矩形平板状の補強板４４が配設されている。補強板４４は、Ｙ方向における上下側の端部と瓦桟木１８との間にそれぞれ所定の間隔を設けられた状態で、ビス４６によって、その四隅が屋根下地１６に取り付けられている。さらにこのとき、ビス４６の取付位置が、平面視で、前述した長ビス４２の取付位置に対し、Ｘ方向及びＹ方向それぞれの方向において外側とされている。
【００５１】
図６に示されるように、上述した補強板４４のＹ方向上側の端部と瓦桟木１８との間には、本発明の要部を構成する排水部材４８が設けられており、又補強板４４のＹ方向下側の端部と瓦桟木１８との間には、本発明の要部を構成する補助部材５２が設けられている。以下、これらの排水部材４８及び補助部材５２を中心とした瓦屋根の構造について詳細に説明する。なお、前述した図５には、排水部材４８及び補助部材５２が設けられていない場合を対比的に示している。
【００５２】
図６に示されるように、補強板４４のＹ方向上側には、正面視で中実の略山形形状に形成された排水部材４８が配設されている。排水部材４８は、そのＹ方向下側端部が補強板４４のＹ方向上側端部に面接触した状態で、図示しない接着剤等によって補強板４４及びルーフィング１７に取り付けられている。排水部材４８の上端部には、山形に傾斜した排水部としての上面部５０が一体に形成されている。より具体的には、上面部５０は、線対称かつＹ方向上側に凸となる傾斜形状とされており、その上側の頂点と、その上側に配置された瓦桟木１８との間には所定の隙間がある。また、排水部材４８の幅寸法が補強板４４の幅寸法と同一に設定されており、排水部材４８の厚さも又補強板４４の厚さと同一に設定されている。換言すれば、補強板４４を固定しているビス４６のＹ方向上側が排水部材４８に覆われている。
【００５３】
一方、補強板４４のＹ方向下側には、正面視で中実の二等辺三角形に形成された補助部材５２が配設されている。補助部材５２は、そのＹ方向下側端部が、その下側に配置された瓦桟木１８に面接触した状態で、図示しない接着剤等によって瓦桟木１８及びルーフィング１７に取り付けられている。補助部材５２のＹ方向上側には、排水部としての上面部５４が一体に形成されている。上面部５４は、線対称かつＹ方向上側に凸となる傾斜形状とされており、その上側の頂点と補強板４４との間には所定の隙間がある。また、補助部材５２の幅寸法は、補強板４４の幅寸法よりも長く設定されており、補助部材５２の厚さは瓦桟木１８の厚さよりも薄くなるように設定されている。このとき、補強板４４のＹ方向下側の瓦桟木１８に係止される瓦２０は、補助部材５２のＺ方向上側に載置された状態となっている。
【００５４】
次に、本実施形態の作用・効果について説明する。
【００５５】
本実施形態では、図３に示されるように、ルーフィング１７の上面でかつ隣り合う瓦桟木１８の間に補強板４４が取り付けられており、当該補強板４４には、設置物としての太陽光パネル１４が固定される。
【００５６】
ところで、降雨等により支持瓦３０とルーフィング１７との間に、以下に示す三経路のうち少なくとも一経路から水が浸入し、補強板４４の周りに水が滞留することがある。これらの経路について詳しく説明すると、第一の経路５６は、支持瓦３０の係止部２２とルーフィング１７との隙間及び係止部２２と瓦桟木１８との隙間にルーフィング１７の上側から流れてきた水が浸入し、補強板４４の周りに水が流れ込む経路である。また、第二の経路５８は、Ｙ方向下側から上側への雨水の吹付等により、Ｙ方向に沿って隣り合って並べられた瓦２０と支持瓦３０との隙間６０から、補強板４４の周りに水が流れ込む経路である。また、図示しない第三の経路は、Ｘ方向からの雨水の吹付等により、Ｘ方向に沿って隣り合って並べられた瓦２０と支持瓦３０との隙間から、補強板４４の周りに水が流れ込む経路である。
【００５７】
上記三経路のうち少なくとも一経路から、支持瓦３０とルーフィング１７との間に水が流れ込むことがあるが、本実施形態では、補強板４４のＹ方向上側には、排水部としての上面部５０が設けられた排水部材４８が取り付けられており、補強板４４のＹ方向下側には排水部としての上面部５４が設けられた補助部材５２が取り付けられている。これにより、支持瓦３０とルーフィング１７との間に水が浸入しても、ルーフィング１７を補強板４４に向かって流れる水が、上面部５０及び上面部５４に沿って流下して、補強板４４の幅方向外側に排水される。
【００５８】
図６を用いて具体的に説明すると、排水部材４８に設けられた上面部５０は、排水部材４８の中央から両端部に向かって傾斜しているため、排水部材４８のＹ方向上側から流れてきた水は、上面部５０の傾斜に沿って流下して、補強板４４の周りに滞留することなく排水される。一方、補助部材５２に設けられた上面部５４も中央から両端部に向かって傾斜しているため、補強板４４のＹ方向下側端部と瓦桟木１８との間に水が流れてきても、補強板４４と補助部材５２との間に滞留することなく排水される。
【００５９】
このように、本実施形態では、補強板４４のＹ方向上側には、上面部５０が設けられた排水部材４８が取り付けられ、補強板４４のＹ方向下側には、上面部５４が設けられた補助部材５２が取り付けられている。これにより、ルーフィング１７を補強板４４に向かって流れてきた水を排水することができ、その結果、降雨等により支持瓦３０とルーフィング１７との間に水が浸入した場合でも、補強板４４の周囲における水の滞留を抑制又は防止することができる。
【００６０】
また、本実施形態では、補強板４４を取り付けるビス４６及び長ビス４２の取付位置におけるＹ方向上側が、排水部材４８に覆われている。これにより、ビス４６及び長ビス４２の取付位置に水が浸入することを抑制又は防止することができ、その結果、ビス４６及び長ビス４２が水により腐食することを抑制又は防止することができる。
【００６１】
さらに、本実施形態では、排水部材４８は、そのＹ方向下側端部が補強板４４のＹ方向上側端部に面接触する構成とされている。これにより、排水部材４８と補強板４４との間の隙間を無くすことができ、その結果、補強板４４におけるＹ方向上側に水が流れ込まないようにすることができる。
【００６２】
また、本実施形態では、上面部５０は２つの傾斜部から構成されているが、これらの傾斜部の角度を調整することにより、流れ込んできた水の排水方向を調整することができる。その結果、流れ込んできた水の流れを分流し、効率よく補強板４４の周囲における水の滞留を抑制又は防止することができる。
【００６３】
加えて、本実施形態では、補強板４４を介して太陽光パネル１４を、屋根下地１６に取り付けることができる。その結果、屋根上面のスペースを有効に活用できる。
【００６４】
＜第２実施形態＞
次に、図７及び図８を用いて、本発明に係る瓦屋根の構造の第２実施形態について説明する。なお、前述した第１実施形態と同一構成部分については、同一の番号を付してその説明を省略する。
【００６５】
この第２実施形態では、排水部材８０が、屈曲された薄板材で構成されている点に第１の特徴がある。また、この第２実施形態では、第１実施形態で用いた補助部材５２が設けられておらず、代わりに補強板４４のＹ方向下側の瓦桟木１８に、切欠部８６が設けられている点に第２の特徴がある。
【００６６】
図７に示されるように、排水部材８０は、補強板４４を囲うようにして配設されており、正面視で山形形状の薄板材の両端部から平板材を垂下して構成されている。換言すれば、排水部材８０は、線対称かつＹ方向上側に凸となる傾斜形状とされた排水部としての上面部８２と、補強板４４の側面部に沿う延設部８４とが一体となって構成されている。排水部材８０は、そのＺ方向下側端部を図示しない接着剤等によってルーフィング１７に取り付けられている。また、排水部材８０におけるＹ方向上側の頂点とその上側の瓦桟木１８との間及び延設部８４と補強板４４の側面部との間には所定の隙間がある。なお、延設部８４の下端部は、補強板４４の下端部よりも下方に位置しており、排水部材８０を構成する薄板材の幅は、補強板４４の厚さと同一の長さに設定されている。
【００６７】
一方、補強板４４のＹ方向下側の瓦桟木１８は、屋根下地１６側からＺ方向上側に向かって所定深さ切り欠かれ、排水部としての傾斜面部８８が設けられた切欠部８６を備えている。傾斜面部８８は、補強板４４の中心線に対して線対称かつＹ方向上側に凸となる傾斜形状とされている。
【００６８】
次に、本実施形態の作用・効果について説明する。
【００６９】
図７を用いて説明すると、排水部材８０に設けられた上面部８２は、排水部材８０の中央から両端部に向かって傾斜しているため、排水部材８０の上側から流れてきた水は、上面部８２の傾斜に沿って流下して、延設部８４を伝って下側の瓦桟木１８へ流れていく。そして、瓦桟木１８へ流れてきた水は、当該瓦桟木１８の切欠部８６に設けられた傾斜面部８８を伝いさらに外側へと流れていく。このため、排水部材８０のＹ方向上側から流れてきた水は、補助部材５２の周りに滞留することなく排水される。また、下側からの雨の吹付等により、補強板４４のＹ方向下側端部と瓦桟木１８との間に水が流れてきても、上記の如く補強板４４と瓦桟木１８との間に滞留することなく排水される。
【００７０】
以上により、本実施形態でも、前述した第１実施形態と同様の作用・効果が得られる。
【００７１】
加えて、本実施形態では、補強板４４のＹ方向下側に配置された瓦桟木１８に切欠部８６が設けられており、切欠部８６に設けられた傾斜面部８８が排水部として用いられている。これにより、補強板４４におけるＹ方向下側に流れ込んできた水を排水することができ、その結果、別部品を設けることなく、補強板４４におけるＹ方向下側に流れ込んできた水の滞留を抑制又は防止することができる。
【００７２】
また、補強板４４の側面部に沿って設けられた延設部８４を備えているので、補強板４４の側面部に水が直接流れ込んでくることを抑制又は防止することができる。その結果、補強板４４の側面部に流れ込んでくる水の滞留を抑制又は防止することができる。
【００７３】
＜上記実施形態の補足説明＞
【００７４】
（１）  上述した第１実施形態では、排水部材４８を正面視で五角形としたが、適宜その他の多角形状としてもよい。例えば、瓦桟木１８と補強板４４との間に十分な隙間がなく、上面部５０の傾斜が小さくなってしまうような場合には、排水部材４８を直角三角形状にする等して上面部の傾斜を確保することができる。このように、排水部材４８を平面視で種々の多角形に形成することで、排水部材４８の形状を、補強板４４の形状及び当該補強板４４と瓦桟木１８との位置関係に対応させることができる。その結果、補強板４４と瓦桟木１８との位置関係によらず補強板４４の周囲における水の滞留を抑制又は防止することができる。
【００７５】
（２）  また、排水部材４８の正面視の形状は、多角形に限らず、半円状の形状としてもよい。さらに、補強板４４を傾けて取り付けることで、補強板４４の上面部及び側面部を排水部として用いる構成としてもよい。
【００７６】
（３）  上述した実施形態では、排水部材のＺ方向上側に補強板４４を覆うカバー部材を設ける構成としてもよい。これにより、補強板４４にＺ方向上側から水が吹き付けることを抑制又は防止することができ、特に第２実施形態に適用した場合には、補強板４４のＹ方向下側を除くすべての方向からの水の吹付を抑制又は防止することができる。その結果、補強板のＺ方向上面が水に濡れることを抑制又は防止することができる。
【００７７】
（４）  上述した第１実施形態では、排水部材４８の幅寸法は、補強板４４の幅寸法と同一に設定されているが、排水部材４８の幅寸法を補強板４４の幅寸法よりも長く設定してもよい。これにより、補強板４４におけるＹ方向の上側から流れ込んでくる水が、補強板４４におけるＹ方向の下側に回り込むことを抑制又は防止することができ、その結果、補強板４４におけるＹ方向の上側から流れ込んできた水が、補強板４４におけるＹ方向の下側に回り込んで滞留することを抑制又は防止することができる。
【００７８】
（５）  上述した第１実施形態では、補強板４４のＹ方向下側の瓦桟木１８に係止される瓦２０は、補助部材５２のＺ方向上側に載置される構成としたが、当該瓦桟木１８と補助部材５２との間に隙間を設け、その隙間に瓦２０の係止部２２を係止する構成としてもよい。
【００７９】
（６）  上述した実施形態では、排水部材４８、８０におけるＺ方向の高さ寸法（厚さ）は、補強板４４の厚さと同一に設定されているが、高さ寸法が大きいほど補強板４４の周囲に水が滞留しにくくなるので、当該高さ寸法は、性能を満足する範囲で大きく設定されることが望ましい。同様に、上述した第２実施形態では、補助部材５２におけるＺ方向の高さ寸法（厚さ）が、瓦桟木１８のＺ方向の高さ寸法（厚さ）よりも所定長さ短くなるように設定されているが、高さ寸法が大きいほどより多くの水を流せるので、当該高さ寸法は、性能を満足する範囲で大きく設定されることが望ましい。また、上述した実施形態では、排水部材４８、８０及び補助部材５２の材質を明記していないが、性能を満足し、吸水性の低い材質であれば、いかなる材質で作製しても構わない。なお、木材で作製する場合は、含水率の低いものが望ましい。
【００８０】
（７）  上述した実施形態では、排水部材４８、８０及び補助部材５２を接着剤、又はシーリング材を併用して取り付けてもよい。
【符号の説明】
【００８１】
１４      太陽光パネル
１６      屋根下地
１８      瓦桟木
２０      瓦
４２      長ビス（締結部材）
４４      補強板
４６      ビス（締結部材）
４８      排水部材
５０      上面部（排水部、傾斜部）
５２      補助部材
５４      上面部（排水部、傾斜部）
８０      排水部材
８２      上面部（排水部、傾斜部）
８４      延設部
８６      切欠部
８８      傾斜面部（排水部、傾斜部）
【図１】
2014152575.tif 000003
【図２】
2014152575.tif 000004
【図３】
2014152575.tif 000005
【図４】
2014152575.tif 000006
【図５】
2014152575.tif 000007
【図６】
2014152575.tif 000008
【図７】
2014152575.tif 000009
【図８】
2014152575.tif 000010